(57)【要約】【課題】従来の高精度の印字が出来サーマルプリンタ用紙で、用紙の全表面に紫外線硬化型樹脂の保護層を形成すると、捺印や手がき文字の記入が出来なくり、捺印や手がき文字の記入を行うために保護層を除去すると高精度印字の状態を維持することが困難になるため、捺印性、筆記性、高度印字及びＯＣＲ読み取りの全てを満足する印刷を、従来の印刷方法で実現することが困難であった。【解決手段】本発明は、プリンタ用紙の全面に紫外線硬化型インキにより、捺印や手がき文字の記入が可能で、読み取りセンサーに感応しない密度のアミ点印刷を行ない、このアミ点印刷の上に捺印や手がき文字の記入が行われる部分を除いて紫外線硬化型樹脂の保護層を設けることにより、捺印性、筆記性、高度印字及びＯＣＲ読み取りの全てを満足するサーマルプリンタ用紙を実現したものである。【選択図】図１
2005052976.tif 000002
【特許請求の範囲】
【請求項１】
ガス、水道、電力等の使用量を検針しその結果を現場で印字するようにしたハンディターミナルで使用されるサーマルプリンタ用感熱紙において、
プリンタ用感熱紙の上面に紫外線硬化型インキにより、捺印や手がき文字の記入が可能で、光学的パターン認識装置の読み取りセンサーに感応しない密度のアミ点印刷を行なったことを特徴とするサーマルプリンタ用感熱紙。
【請求項２】
ガス、水道、電力等の使用量を検針しその結果を現場で印字するようにしたハンディターミナルで使用されるサーマルプリンタ用感熱紙において、
プリンタ用感熱紙の上面に紫外線硬化型インキにより、捺印や手がき文字の記入が可能で、光学的パターン認識装置の読み取りセンサーに感応しない密度の有色の紫外線硬化型インキによるアミ点印刷を行なったことを特徴とするサーマルプリンタ用感熱紙。
【請求項３】
ガス、水道、電力等の使用量を検針しその結果を現場で印字するようにしたハンディターミナルで使用されるサーマルプリンタ用感熱紙において、
プリンタ用感熱紙の上面に紫外線硬化型インキにより、捺印や手がき文字の記入が可能で、光学的パターン認識装置の読み取りセンサーに感応しない密度のアミ点印刷を行なっておき、
捺印や手がき文字の記入される部分を除いた領域の前記アミ点印刷の上に紫外線硬化樹脂層を設けたことを特徴とするサーマルプリンタ用感熱紙。
【請求項４】
ガス、水道、電力等の使用量を検針しその結果を現場で印字するようにしたハンディターミナルで使用されるサーマルプリンタ用感熱紙において、
プリンタ用感熱紙の上面に紫外線硬化型インキにより、捺印や手がき文字の記入が可能で、光学的パターン認識装置の読み取りセンサーに感応しない密度の有色の紫外線硬化型インキによるアミ点印刷を行なっておき、
捺印や手がき文字の記入される部分を除いた領域の前記アミ点印刷の上に紫外線硬化樹脂層を設けたことを特徴とするサーマルプリンタ用感熱紙。
【請求項５】
請求項１乃至４において、紫外線硬化型インキによるアミ点印刷は、１００〜１７５線／インチ、面積率１０〜２０％  であることを特徴とするサーマルプリンタ用感熱紙。
【請求項６】
請求項１乃至４において、紫外線硬化樹脂層の塗布量は、０．６５〜０．８５ｇ／ｍ２  であることを特徴とするサーマルプリンタ用感熱紙。
【請求項７】
請求項１乃至４において、アミ点印刷に使用する紫外線硬化型インキは、波長５００ｍｍ〜８００ｍｍ付近で反射率７０％以上であることを特徴とするサーマルプリンタ用感熱紙。
【発明の詳細な説明】
【０００１】
【発明の属する技術分野】
本発明はガス、水道、電力等の使用量を示す積算メータの値を検針しその結果を現場で印字すると共に、振込用紙を添付した使用料金の請求書、領収書等をＯＣＲによる読み取が出来る高精度の印字が出来、且つ捺印や筆記が行なえるようにしたサーマルプリンタ用感熱紙に関するものである。
【０００２】
【従来の技術】
最近ガス、水道、電力等メータの検針にハンディターミナルが広く使用されるようになっている。このハンディターミナルにはガス、水道、電力等の使用量を検針し、その結果をハンディターミナル用プリンタでお知らせ票、利用料金の自動引落の領収書等として現場で印字し印字結果を切り離して使用者に渡するようにしており、利用料金の自動引落の契約を行なっていない利用者に対しては、検針の結果のデータに基づいて、利用者に利用料金を請求する振込用紙が印字され、この振込用紙を用いて利用者は料金の振込を行なえるうようにしているものが普及しつつある。
この場合のハンディターミナルには、小型で携帯に便利なサーマルプリンタが使用されることが多い。サーマルプリンタのプリントの形態は、見やすく、スマートで高品質な外観を持たせるためにプリントデータの内容に応じて、色分けされたアミ点印刷が行われたプリンター用紙が使用され、この上にデータのプリントを行う様にしたものもある。（特開平１１−１１５３５１号）
【０００３】
また、振込用紙が印字され、これにより利用者は料金の振込を行なえるようにしているプリンター用紙では、捺印や手がき文字の記入が出来るように、プリンター用紙の特定の部分を除いてアミ点印刷を行うことも提案されている。
（特開平１１−１１５３５１号。特願平１１−３７１０３６号、特願２０００−３５０４９６号、）
最近、振込の事務処理を行う郵便局や金融機関等では、機械による処理が行われるようになり、捺印や筆記が行われた振込用紙の利用データを光学的に読み取ったり、捺印性を有し且つ高品質な外観を持たせるための印刷を、従来方式の印刷で行った場合には、高精度の印字が正常に行われず、ＯＣＲ読み取りに支障が発生することがある。このため、プリントされたデータを光学的な読み取り行うとデータが正確に読み取れなかったり、読み取りエラーの原因になり鮮明な画像が得られない等の不都合が生じている。
【０００４】
【発明が解決しようとする課題】
その原因を調査したところ次のような事実が判明した。従来から振込用として提案されている高品質な外観を持たせたプリンター用紙では、印字されたデータの汚染や損傷を防止するために印字部分には紫外線硬化型樹脂の保護層が設けられているが、捺印や手がき文字の記入が行われる部分には捺印性や筆記性を確保するために保護層が除かれている。
プリンター用紙の表面に紫外線硬化型樹脂の保護層が部分的に形成された状態になっているため、プリンター用紙の表面のプリンタヘッドに対する摩擦抵抗が部分的に異なるためにプリンタヘッドの動きが不安定になり、高精度の印字を行うことが出ない。
プリンタヘッドに対する摩擦抵抗を均一にするためにプリンター用紙の全表面に紫外線硬化樹脂の保護層を形成すると、捺印や手がき文字の記入が出来なくなる。又、捺印や手がき文字の記入を行うために、紫外線硬化樹脂の保護層を除去すると高精度印字の状態を維持することが困難になる。このような事情により、捺印性、筆記性、高精度印字及びＯＣＲ読み取りの全てを満足する印刷を、従来の印刷方法で実現することが困難であった。
【０００５】
【課題を解決するための手段】
本発明は、ガス、水道、電力等の使用量を検針しその結果を現場で印字するようにしたハンディターミナル用プリンタ用紙において、プリンタ用感熱紙の上面に紫外線硬化型インキにより、捺印や手がき文字の記入が可能で、光学的パターン認識装置の読み取りセンサーに感応しない密度のアミ点印刷を行ない、このアミ点印刷の上に捺印や手がき文字の記入が行われる部分を除いて紫外線硬化型樹脂の保護層を設けることにより、検針結果のお知らせ、振込用紙を添付した使用料金の請求書、領収書等の異なったパターンのプリントを選択的に行なえ、必要な捺印が出来、ＯＣＲによる読み取りが出来、見やすい高品質のプリントを行なえるようにしたハンディターミナル用プリンタ用紙を実現することにより、従来の問題の解決を図ったものである。
【０００６】
【発明の実施の形態】
【実施例】
図１は、本発明のサーマルプリンタ用感熱紙の構成を示す用紙断面の説明図である。
図１において、１はサーマルプリンタ用感熱紙である。サーマルプリンタ用感熱紙１は一般に、基紙１１と感熱屑１２、オーバーコート層１３により構成されている。
２は紫外線硬化型インキによるアミ点印刷である。紫外線硬化型インキによるアミ点印刷２は、サーマルプリンタ用感熱紙のオーバーコート層１３の上全面に、捺印や手がき文字の記入が可能な密度で紫外線硬化型インキにより行われる。アミ点印刷２の捺印や手がき文字の記入が可能な密度は、１００〜１７５線／インチ、面積率１０〜２０％  が適当である。アミ点印刷２はＯＣＲ読取機での読取りに影響を与えない有色または無色の紫外線硬化型インキにより行われる。
【０００７】
３は紫外線硬化型樹脂の保護層である。紫外線硬化型樹脂の保護層３は、捺印や手がき文字の記入される部分を除いた領域の前記アミ点印刷の上に設けられるものである。
紫外線硬化樹脂の保護層５の塗布量は、０．６５〜０．８５  ｇ／ｍ２  が適当である。
紫外線硬化型樹脂の保護層３が設けられた部分は捺印不可能部分で、紫外線硬化型樹脂の保護層３が除かれた部分が捺印可能部分である。
このように構成された本発明のサーマルプリンタ用感熱紙は、感熱紙のオーバーコート層上全面に、紫外線硬化型インキにて、良好な捺印性、筆記性を有し、ＯＣＲ読取機でサーマルプリンタによるプリント文字の読取が可能となるように有色又は無色のアミ点印刷を施すことによって、最上層の紫外線硬化型樹脂層の形成されていない部分と紫外線硬化型樹脂層形成されている部分との摩擦抵抗の差をほぼ無くし、高精度印字が可能となる。
尚、上記の説明では、本発明サーマルプリンタ用感熱紙に使用される感熱紙に、オーバーコート層が設けられたものを使用する事例を示したが、感熱紙にはオーバーコート層が設けられていないものも使用することが可能である。
【０００８】
発明者は、上記の本発明のサーマルプリンタ用感熱紙の捺印性、プリント印字性、プリント搬送性、ＯＣＲ読取性についてのアミ点印刷の評価を行うために、以下に示すような各種のアミ点印刷の構成の異なるサーマルプリンタ用感熱紙（実施例）を作製し、その捺印性、ＯＣＲ読取試験、摩擦係数測定、プリント印字結果の寸法測定のテストを行った。
テストに使用されたサーマルプリンタ用感熱紙の図１に示した構成材料の品名は次の通りである。
１：感熱紙として、王子製紙（株）ＦＨ１０５ＢＳ一５ＡＫを使用した。
２：紫外線硬化型インキによるアミ点印刷には、大阪印刷インキ製造（株）紫外線硬化型インキを使用した。
３：紫外線硬化型樹脂層には、大阪印刷インキ製造（株）ＡＰＯＫＯＤ０２ニスを使用した。
【０００９】
上記の感熱紙に、アミ点印刷の構成と、アミ点印刷のインキの種類を変えてアミ点印刷を行い、アミ点印刷上に捺印や手がき文字の記入される部分を除いた領域に、紫外線硬化型樹脂の保護層を設けたサーマルプリンタ用感熱紙を作製した。このサーマルプリンタ用感熱紙のアミ点印刷の構成と色を変えた、図２に示す、実施例１〜８のテスト用サーマルプリンタ用感熱紙を作製した。
又、これらの実施例と比較するために、アミ点印刷のないサーマルプリンタ用感熱紙、アミ点印刷の代わりにべた印刷を行ったサーマルプリンタ用感熱紙、１００線／インチ  １０％の  アミ点印刷を赤色水性インキで印刷し、その上に捺印や手がき文字の記入される部分を除いた領域に紫外線硬化型樹脂の保護層を設けた、図２に示す３種類のテスト用サーマルプリンタ用感熱紙を、比較例１〜３として作製した。
【００１０】
図２は各種のテスト用サーマルプリンタ用感熱紙の構成を示したものである。
図３はプリントと捺印のテストを行った振込用紙のプリントの構成を示す説明図である。
図３において、１０は、アミ点印刷だけが行われ捺印領域を示し、２０はアミ点印刷の上に紫外線硬化型樹脂の保護層を設けた領域を示ている。
図２に示した、実施例１〜８のサーマルプリンタ用感熱紙と、比較例１〜３のサーマルプリンタ用感熱紙に、ハンディターミナルにより、図３に示すような振込用紙のプリントを行い、その捺印部に実際に捺印を行い、プリントと捺印のテストを行った。
テストの内容は、捺印性試験、ＯＣＲ読取試験、摩擦係数測定、プリント印字寸法測定、印刷評価の６項目である。
各テストの具体的内容は次の通りである。
【００１１】
＊捺印性試験
図３に示す振込用紙に、油性インキをスタンプ台になじませ、スタンパーで紫外線硬化型樹脂層の形成されていないアミ点印刷のみの部分に捺印し、直後にティッシュペーパーで拭き取り、捺印部の惨みを目視判定した。
＊ＯＣＲ読取試験
（株）東芝ＯＣＲ読取機Ｖ一１０３５にて、大崎データテック（株）製ＳＰ６５０２プリンタで、図３に示す振込用紙をプリント印字した印字物のイメージ読取試験を実施し、イメージ画像としてプリント文字が鮮明であるか目視にて判定した。（平面図のプリント印字にて実施）
＊摩擦係数測定
図３に示す振込用紙を、（株）東洋精機製作所製ＴＲ型摩擦測定機にてＪＩＳＰ８１４７の摩擦係数測定を行った。
＊プリント印字寸法測定
大崎データテック（株）製ＳＰ６５０２プリンタで環境２３℃５０％にて、図２に示す振込用紙のテストパターンを印字し、そのプリント印字の寸法測定を行った。（平面図のプリント印字にて実施）
＊印刷評価
アミ印刷が施されたサーマルプリンタ用感熱紙が、有色として認識できるかを目視にて確認。（認識できるか評価）
【００１２】
上記の各種のテストの結果を図４に示す。
図４のテスト結果より、サーマルプリンタ用感熱紙に、
＊紫外線硬化型の有色又は無色インキにてアミ点印刷（１００〜１７５線／インチ、面積率１０〜２０％のアミ点印刷）を施す。
＊その上に捺印や手がき文字の記入される部分を除いた領域に紫外線硬化型樹脂層保護層を設ける。
ことにより、捺印性、筆記性、ＯＣＲ読取適性、高精度印字適性を保持し、且つデザイン、両線、文字印刷された帳票を作成することが出来ることを確認された。
【００１３】
【発明の効果】
以上の説明より明らかなように、本発明は、ガス、水道、電力等の使用量を検針しその結果を現場で印字するようにしたハンディターミナルで使用されるハンディターミナル用プリンタ用紙において、プリンタ用紙の全面に紫外線硬化型インキにより、捺印や手がき文字の記入が可能で、読み取りセンサーに感応しない密度のアミ点印刷を行ない、このアミ点印刷の上に捺印や手がき文字の記入が行われる部分を除いて紫外線硬化型樹脂の保護層を設けることにより、ＯＣＲによる読み取り、捺印が出来、見やすい高品質のプリントを行なえるようにしたハンディターミナル用プリンタ用紙を実現したものである。
このために、利用者はその振込用紙を振込が行える金融機関等に持っていけば直ちに振込の手続きを行なうことができ金融機関等ではその振込用紙を機械処理することが出来る。又、電気、ガス、水道等の供給業者は、口座振り替えの契約を行なっていない利用者に対して改めて、振り替え用紙を付けた請求書を送る手続きが不要になるため、低いコストで効率の良い集金業務を行なうことが可能になる。このように、利用者の料金支払形態に応じて、必要な様式の任意のプリントフォーマットを選定してプリントすることにより、効率の良い付加価値の高い検針業務を行なうことが出来る。
【図面の簡単な説明】
【図１】本発明のサーマルプリンタ用感熱紙の構成を示す用紙断面の説明図である。
【図２】各種のテスト用サーマルプリンタ用感熱紙の構成を示したものである。
【図３】図２のサーマルプリンタ用感熱紙に、ハンディターミナルにより、テスト用の振込用紙のプリントを行った例を示したものである。
【図４】プリントに対するテストの結果を示したものである。
【符号の説明】
１・・・感熱紙
１１・・・感熱紙の基紙，
１２・・・感熱紙の感熱屑
１３・・・感熱紙のオーバーコート層
２・・・紫外線硬化型インキによるアミ点印刷
３・・・紫外線硬化型樹脂層
１０・・・アミ点印刷だけが行われ捺印な領域，
２０・・・アミ点印刷の上に紫外線硬化型樹脂の保護層を設けた領域，
【図１】
2005052976.tif 000003
【図２】
2005052976.tif 000004
【図３】
2005052976.tif 000005
【図４】
2005052976.tif 000006